(57)【要約】      （修正有）【課題】泡立て用ネットと、体を洗うためのタオルの両方を準備する必要もなく、石鹸をタオルに直接つけても容易に泡立てを行うことができ、且つその泡を使って体を洗うことが可能となり、肌への刺激を軽減することができるタオルを提供する。【解決手段】タオルは、肌に直接触れるタオル生地２を袋状とし、その内部に泡立て用ネットを配置する構成を有することで、ネット１をタオルを一体化し、泡立て易く且つ肌にやさしいタオルを実現する。 【選択図】図２
0003186855.tif 000002
【実用新案登録請求の範囲】
【請求項１】
タオル生地を袋状に構成し、その中に泡立て用のネットを配置して袋を閉じて構成することを特徴とするタオル。
【請求項２】
タオル生地を少なくとも2つ以上の袋状に構成し、その一方の中に泡立て用のネットを配置して袋を閉じ、もう一方の袋は少なくとも１辺を開放して使用者の手を差し込む構成であることを特徴とするタオル。
【請求項３】
前記タオルの下の部分にゴムを縫合することでタオル生地をしぼり、使用者の手がタオルから離れることを特徴とする、上記請求項2のタオル。
【請求項４】
前記泡立てネットは、複数枚を重ねて構成することを特徴とする、上記請求項１、２及び３のタオル。
【請求項５】
前記泡立て用ネットは、前記タオル生地で構成する袋状の中に縫合して固定されることを特徴とする、上記請求項１，２、３及び４のタオル。
【請求項６】
前記タオル生地は、晒しであることを特徴とする、上記請求項１，２，３，４及び５のタオル。
【考案の詳細な説明】
【技術分野】
【０００１】
本考案は，容易に泡立ちさせ、洗顔、ボディタオルとして使用するものとする。
【背景技術】
【０００２】
従来は、泡立てネット（以下、ネット）で泡を生成し、ネットで全身を洗う、またはタオルに石鹸をつけて使用していた。
【考案の概要】
【考案が解決しようとする課題】
【０００３】
ネットは、泡立て易さを考慮して、その材質をナイロン等の合成繊維とする場合が    多い。このような合成繊維は布製のタオル等よりも固い材質であるため、直接肌をこ    することで肌をいためる可能性がある。また、泡立てずに石鹸を直接タオルにつけて    使うことで肌へ強い刺激を与えてしまい、肌荒れ等の原因となってしまう。よって従    来の方法では、ネットとタオルの両方が必要になる。
【課題を解決するための手段】
【０００４】
本考案の請求項１のタオルは、肌に直接触れるタオル生地を袋状とし、その内部に泡立て用ネットを配置する構成を有することで、ネットとタオルを一体化し、泡立て易く且つ肌にやさしいタオルを実現する。
【０００５】
本考案の請求項２のタオルは、タオル生地を２つの袋状に構成し、その一方の中に    泡立て用のネットを配置して袋を閉じ、もう一方の袋は少なくとも1辺を開放して使    用者の手を差し込む構成を有することで、手のひらを開いた状態で、すなわちタオル    生地の凹凸が少なく平面で肌に触れるため、よりやさしく洗うことができる。
【０００６】
本考案の請求項３のタオルは、請求項２の１辺の開放部にゴム状の伸縮材を縫合する構成を有することで、タオルに手を差し込んで使用する際に手がタオルから離れることを防止することができる。
【０００７】
本考案の請求項４のタオルは、袋状の内部に配置するネットを幾重にも重ねた構成    を有することで、より泡立て易くする。    
【０００８】
本考案の請求項５のタオルは、袋状の内部に配置するネットを袋状の中で縫合した    構成を有することで、袋の中でのネットの位置を固定し、偏りを防止することができ    る。
【０００９】
本考案の請求項６のタオルは、タオル生地の通常のタオル生地よりも目が粗い「晒    し」とすることで、袋状の内部のネットに多くの石鹸が供給されるため、同じ石鹸量    でも多くの泡立てが可能となる。
【考案の効果】
【００１０】
本考案のタオルは、従来のように泡立て用ネットと、体を洗うためのタオルの両方    を準備する必要もなく、石鹸をタオルに直接つけても容易に泡立てを行うことができ、且つその泡を使って体を洗うことが可能となり、肌への刺激を軽減することができる。 
【図面の簡単な説明】
【００１１】
【図１】本考案の実施例１のタオルの正面図である。
【図２】本考案の実施例1のA−A'のタオルの断面図である。
【図３】本考案の実施例2のタオルの正面図である。タオル生地2の下の部分ににしぼり可能なゴム4を内側に縫合し、使用時に手がタオルから離れることを防止する。
【図４】本考案の実施例2のB−B'のタオルの断面図である。タオル生地2を数回折り袋状にすることで、空間5を数箇所作る。袋状の一辺にネット1を配置し閉じる。また一辺を開放し使用者の手を差し込む構成となる。
【考案を実施するための形態】
【実施例１】
【００１２】
図１は、本考案の実施例１のタオルの正面図である。図２は、図１のタオルのＡ−Ａ’断面図である。
実施例１において、タオル生地２は１つの袋状を成しており、その中に複数枚重ねたネット１を配置し、タオル生地２に縫合等により固定されている。この時、タオル生地２は、袋状とした周囲を縫合等により閉じた状態である。ひも３は、タオルを干すときに用いるために用いる。
【００１３】
タオル生地２の表面に石鹸を直接つけてタオル全体をもむことで、石鹸が内部に浸透しネット１によって泡立てられ、この泡を利用してタオル生地２にて直接肌を洗うことができる。
この時、タオル生地２を「晒し」など、目の粗い生地を用いることにより、タオル内部に浸透する石鹸の量が多くなるため泡立ちが良くなり、少量の石鹸にて同様の効果を得ることができる。
【実施例２】
【００１４】
図３は、本考案の実施例２のタオルの正面図である。図４は、図３のタオルのＢ−Ｂ’断面図である。
実施例２において、タオル生地２は３つの袋状を成しており、その内１つの袋状の中に、実施例１と同様に複数枚重ねたネット１を配置し、タオル生地２に縫合等により固定されている。この時、上記のネット１を入れている袋状の周囲を縫合等により閉じ、その他の空間５を形成する袋状は、タオル生地２の周囲における辺４を開放し、この開放部から手を差し込む構成である。更に、辺４の開放部には内側にゴムを縫合し、開放部の大きさを伸縮自在としている。
【００１５】
辺４の開放部から手を差し込むことで、実施例１の効果に加えて、タオルを落とすことなく洗うことができる。更に、タオルを握る必要がなくなり、手のひらを開いた状態で使用できるため、タオル生地の凹凸が少なく平面で肌に触れることとなり、よりやさしく洗うことができる。
更に、辺４の開放部を伸縮自在としているので、差し込んだ手が抜けにくい構成となっている。
【符号の説明】
【００１６】
１  ネット
２  タオル生地
３  ひも 
４  辺 
５  空間
【図１】
0003186855.tif 000003
【図２】
0003186855.tif 000004
【図３】
0003186855.tif 000005
【図４】
0003186855.tif 000006
【手続補正書】
【提出日】平成25年9月3日(2013.9.3)
【手続補正１】
【補正対象書類名】実用新案登録請求の範囲
【補正対象項目名】請求項３
【補正方法】変更
【補正の内容】
【請求項３】
前記タオルの下の部分にゴムを縫合することでタオル生地をしぼり、使用者の手がタオルから離れるのを防止することを特徴とする、上記請求項２のタオル。
【手続補正２】
【補正対象書類名】実用新案登録請求の範囲
【補正対象項目名】請求項４
【補正方法】変更
【補正の内容】
【請求項４】
前記泡立てネットは、複数枚を重ねて構成することを特徴とする、上記請求項１〜３のいずれかに一項に記載のタオル。
【手続補正３】
【補正対象書類名】実用新案登録請求の範囲
【補正対象項目名】請求項５
【補正方法】変更
【補正の内容】
【請求項５】
前記泡立て用ネットは、前記タオル生地で構成する袋状の中に縫合して固定されることを特徴とする、上記請求項１〜４のいずれか一項に記載のタオル。
【手続補正４】
【補正対象書類名】実用新案登録請求の範囲
【補正対象項目名】請求項６
【補正方法】変更
【補正の内容】
【請求項６】
前記タオル生地は、晒しであることを特徴とする、上記請求項１〜５のいずれか一項に記載のタオル。